(57)【特許請求の範囲】
【請求項１】
電子装置であって、
コネクタを備えた電子基板を収納するケース部と、
前記ケース部の側面に形成され、前記コネクタが露出する開口部と、
前記側面に前記ケース部の外側へ突出し上下方向に略沿って形成され、被固定面に前記ケース部を固定する固定部と、
前記開口部の上部を覆い、前記ケース部の外側へ突出して形成され、前記側面に沿って流れ落ちる水滴を受ける第１庇部と、
前記側面と前記固定部の前記上下方向の一端とを接続し、前記固定部を補強する第１補強部と、
を備え、
前記第１庇部と前記第１補強部とは一体に形成され、
前記開口部の上部を覆い、前記ケース部の外側へ突出して形成され、前記側面に沿って流れ落ちる水滴を受ける第２庇部、
をさらに備え、
前記第２庇部は、前記第１庇部よりも上部に位置し、前記第１庇部よりも短く形成されることを特徴とする電子装置。
【請求項２】
請求項１に記載の電子装置において、
前記固定部は前記側面の左右方向の一端側、前記コネクタは前記側面の左右方向の他端側に形成され、
前記第１庇部が前記側面から突出する長さは、前記一端側と比較して前記他端側の方が小さいことを特徴とする電子装置。
【請求項３】
電子装置であって、
コネクタを備えた電子基板を収納するケース部と、
前記ケース部の側面に形成され、前記コネクタが露出する開口部と、
前記側面に前記ケース部の外側へ突出し上下方向に略沿って形成され、被固定面に前記ケース部を固定する固定部と、
前記開口部の上部を覆い、前記ケース部の外側へ突出して形成され、前記側面に沿って流れ落ちる水滴を受ける第１庇部と、
前記側面と前記固定部の前記上下方向の一端とを接続し、前記固定部を補強する第１補強部と、
を備え、
前記第１庇部と前記第１補強部とは一体に形成され、
前記固定部は前記側面の左右方向の一端側、前記コネクタは前記側面の左右方向の他端側に形成され、
前記第１庇部が前記側面から突出する長さは、前記一端側と比較して前記他端側の方が小さいことを特徴とする電子装置。
【請求項４】
請求項１ないし３のいずれかに記載の電子装置において、
前記第１補強部は、前記側面に対して傾斜して形成されることを特徴とする電子装置。
【請求項５】
請求項１ないし４のいずれかに記載の電子装置において、
前記ケース部と当接して、該ケース部に収納された前記電子基板を覆う蓋部、
をさらに備え、
前記蓋部は、
前記ケース部の前記側面と当接し、前記側面から流入する前記水滴を流す排水溝、
を有することを特徴とする電子装置。
【発明の詳細な説明】
【技術分野】
【０００１】
本発明は、水滴の浸入を防止する防水構造の技術に関する。
【背景技術】
【０００２】
従来、車両の室内の温度変化やエアコンのダクトからの水漏れ等により、車両に設置された電子制御装置のケースに水滴が生じたり滴り落ちる場合があった。また、近年、電子制御装置に対する多機能化や小型化、車載上の制約から、コネクタを電子制御装置の側面に配置する要請がある。コネクタを電子制御装置の側面に配置すると、電子制御装置のケースに生じた水滴は、ケース側面を伝達してコネクタ部分に浸入する。この場合、コネクタの端子間に短絡等が生じ、制御に異常を来す恐れがあった。
【０００３】
そこで、電子制御装置の側面のコネクタ上部に庇を形成し、ケースに水滴が生じても、水滴がコネクタに浸入するのを防止する技術が知られている。このような技術は、庇が水滴のコネクタへの浸入を防止するため、端子間の短絡等を生じず、電子制御装置の正常な制御を確保する（例えば、特許文献１）。
【先行技術文献】
【特許文献】
【０００４】
【特許文献１】特開２０１４−９３３７９号公報
【発明の概要】
【発明が解決しようとする課題】
【０００５】
しかし、ケースに新たに庇を設けると、材料費が新たに発生し、ケースの作製コストが上昇する要因となっていた。
【０００６】
本発明は、かかる課題に鑑み、ケースに新たに庇を形成した場合であっても、ケースを作製するコストの上昇を防止する技術の提供を目的とする。
【課題を解決するための手段】
【０００７】
上記課題を解決するため、請求項１の発明は、電子装置であって、コネクタを備えた電子基板を収納するケース部と、前記ケース部の側面に形成され、前記コネクタが露出する開口部と、前記側面に前記ケース部の外側へ突出し上下方向に略沿って形成され、被固定面に前記ケース部を固定する固定部と、前記開口部の上部を覆い、前記ケース部の外側へ突出して形成され、前記側面に沿って流れ落ちる水滴を受ける第１庇部と、前記側面と前記固定部の前記上下方向の一端とを接続し、前記固定部を補強する第１補強部と、を備え、前記第１庇部と前記第１補強部とは一体に形成され、前記開口部の上部を覆い、前記ケース部の外側へ突出して形成され、前記側面に沿って流れ落ちる水滴を受ける第２庇部、をさらに備え、前記第２庇部は、前記第１庇部よりも上部に位置し、前記第１庇部よりも短く形成される。
【０００８】
また、請求項２の発明は、請求項１に記載の電子装置において、前記固定部は前記側面の左右方向の一端側、前記コネクタは前記側面の左右方向の他端側に形成され、前記第１庇部が前記側面から突出する長さは、前記一端側と比較して前記他端側の方が小さい。
【０００９】
また、請求項３の発明は、電子装置であって、コネクタを備えた電子基板を収納するケース部と、前記ケース部の側面に形成され、前記コネクタが露出する開口部と、前記側面に前記ケース部の外側へ突出し上下方向に略沿って形成され、被固定面に前記ケース部を固定する固定部と、前記開口部の上部を覆い、前記ケース部の外側へ突出して形成され、前記側面に沿って流れ落ちる水滴を受ける第１庇部と、前記側面と前記固定部の前記上下方向の一端とを接続し、前記固定部を補強する第１補強部と、を備え、前記第１庇部と前記第１補強部とは一体に形成され、前記固定部は前記側面の左右方向の一端側、前記コネクタは前記側面の左右方向の他端側に形成され、前記第１庇部が前記側面から突出する長さは、前記一端側と比較して前記他端側の方が小さい。
【００１０】
また、請求項４の発明は、請求項１ないし３のいずれかに記載の電子装置において、前記第１補強部は、前記側面に対して傾斜して形成される。
【００１１】
また、請求項５の発明は、請求項１ないし４のいずれかに記載の電子装置において、前記ケース部と当接して、該ケース部に収納された前記電子基板を覆う蓋部、をさらに備え、前記蓋部は、前記ケース部の前記側面と当接し、前記側面から流入する前記水滴を流す排水溝、を有する。
【発明の効果】
【００１２】
請求項１ないし５の発明によれば、第１庇部と第１補強部とを一体に形成した。このため、第１庇部と第１補強部とを別々に備える必要をなくし、ケース部を製作するコストの上昇を抑制できる。
【００１３】
また、特に請求項１の発明によれば、第２庇部が第１庇部よりも上部に位置し、第１庇部よりも短く形成される。このため、第１庇部がケース部の側面に沿って流れ落ちる水滴を容易に受けることができる。
【００１４】
また、特に請求項２または３の発明によれば、第１庇部が側面から突出する長さは、一端側と比較して他端側の方が小さい。このため、ユーザは、第１庇部に遮られることなく、コネクタに接続された接続部材を容易に操作できる。
【００１５】
また、特に請求項４の発明によれば、第１補強部は、側面に対して傾斜して形成される。このため、第１補強部がコネクタに接近するほど側面に対して低く形成されても、固定部を補強する強度を維持できる。
【００１６】
また、特に請求項５の発明によれば、蓋部が排水溝を有する。このため、電子装置に水滴が浸入した場合であっても、水滴を電子装置外部へ排水できる。
【図面の簡単な説明】
【００１７】
【図１】図１は、電子装置の分解斜視図である。
【図２】図２は、電子装置の斜視図である。
【図３】図３は、電子装置の側面図である。
【図４】図４は、電子装置の側面図である。
【図５】図５は、電子装置の底面図である。
【図６】図６は、カバーの裏面図である。
【発明を実施するための形態】
【００１８】
以下、図面を参照しつつ本発明の実施の形態を説明する。
【００１９】
＜１．実施の形態＞
＜１−１．電子装置の構成＞
図１は、電子装置１の分解斜視図である。電子装置１は、例えば自動車等の車両に搭載され、電話用アンテナ等と接続されて外部と通信を行うための装置である。電子装置１は、ボルトＳａ及びＳｂにより図示しないブラケットに締結される。ブラケットが車両の被固定面（ボディ）に固定されることで、電子装置１は車両の所定位置に搭載される。
【００２０】
なお、以下の説明において、図１に示す三次元直交座標系に基づき、方向及び向きを示す。直交座標系は、電子装置１（ケース２、電子基板３、及びカバー４）が被固定面に取付けられた場合の概略の方向を示す。直交座標系は、各図において電子装置１に相対的に固定される。Ｘ方向は電子装置１の下側（略重力方向に向かう側）、Ｙ方向は電子装置１の右側（電子装置１の外側からカバー４に向かって右側）、Ｚ方向は電子装置１の奥側（電子装置１が取付けられた場合に取付け面に向う側）を示す。以下の説明において、前後、左右、及び上下と述べた場合、図１の例による。
【００２１】
電子装置１は、ケース２、電子基板３、及びカバー４を備える。ケース２、電子基板３、及びカバー４は、ボルトＳｃ、Ｓｄ、Ｓｅ、及びＳｆで互いに結合され、電子装置１を形成する。特に、ケース２及びカバー４は、互いに結合されることで、電子基板３を内蔵する筐体を構成する。
【００２２】
ケース２は、電子基板３を収納する略函型の容器である。ケース２は、ＰＰ（ポリプロピレン）等の樹脂により形成されることが好ましい。ＰＰは、軽量のうえ防水性に優れるからである。ケース２は、略矩形状の前面２ａ、前面２ａから略直交した２つの側面２ｂ並びに側面２ｃ、底面２ｄ、及び、上面２ｅを備える。なお、ケース２は、本発明においてケース部として機能する。
【００２３】
側面２ｂは、開口部２０、固定部２１ａ、第１庇部２３、第２庇部２４、第１補強部２５、及び、第２補強部２６を備える。側面２ｃは、固定部２１ｂを備える。側面２ｃは、側面２ｂと左右対称に形成される。
【００２４】
開口部２０は、ケース２と電子基板３とが結合した場合に、後述の入力用コネクタ３１及び３２の接続端がケース２から露出するよう形成される。
【００２５】
底面２ｄは、排水口２７及び２８を備える。
【００２６】
固定部２１ａ及び２１ｂは、ケース２の外側へ突出して上下方向（−＋Ｘ方向）に略沿って側面２ｂに形成される。固定部２１ａ及び２１ｂは、固定穴２２ａ及び２２ｂにボルトＳａ及びＳｂを通し、ブラケット等を介して被固定面にケース２を固定する。すなわち、固定部２１ａ及び２１ｂは、車両のボディに電子装置１を固定する。
【００２７】
第１庇部２３及び第２庇部２４は、開口部２０の上部（−Ｘ側）を覆い、ケース２の外側へ突出して形成される。第１庇部２３及び第２庇部２４は、ケース２の外側（＋Ｙ側）へ突出することで、側面２ｂに沿って流れ落ちる水滴を受ける。これにより、水滴が側面２ｂに沿って流れ落ちても、開口部２０から露出した入力用コネクタ３１及び３２に水滴が浸入するのを防止する。
【００２８】
第１補強部２５は、側面２ｂと固定部２１ａの下方向（＋Ｘ方向）の一端とを接続し、ケース２の外側（＋Ｙ側）へ突出した固定部２１ａを補強する。第２補強部２６は、側面２ｂと固定部２１ａの上方向の一端とを接続し、ケース２の外側（＋Ｙ側）へ突出した固定部２１ａを補強する。
【００２９】
第１庇部２３と第１補強部２５とは、一体に形成される。両者が一体に形成された際の機能については、後に詳述する。
【００３０】
排水口２７及び２８は、ケース２の底面２ｄに形成される開口である。排水口２７及び２８は、ケース２とカバー４とのつなぎ目からケース２に浸入した水滴を電子装置１の外部へ排水する。
【００３１】
電子基板３は、入力用コネクタ３１並びに３２、出力用コネクタ３３、電子部品、及び、電子回路を備え、電子機器を制御する電子回路基板である。電子基板３が制御する電子機器は、例えば車載用の電話機である。なお、電子部品及び電子回路の図示は省略する。
【００３２】
入力用コネクタ３１及び３２は、車両に搭載されたアンテナと接続される。アンテナは例えば車両に設置された電話機用の通信アンテナ、及び車両の位置を検出するＧＰＳアンテナである。
【００３３】
出力用コネクタ３３は、通信アンテナで受信した通話用データを電話機へ送信する。また、出力用コネクタ３３は、ＧＰＳアンテナで取得した位置データを車内に設置されたコントローラエリアネットワーク（ＣＡＮ）へ出力する。
【００３４】
カバー４は、電子基板３を包含したケース２の蓋として機能する蓋体である。カバー４は、ケース２と同様の理由でＰＰ等の樹脂により形成されることが好ましい。カバー４は、外縁部４１、排水壁４２、排水溝４３、及び、排水部４４を備える。カバー４が、カバー４とケース２とのつなぎ目からケース２に浸入した水滴を排水する機能は後に詳述する。なお、カバー４は、本発明において蓋部として機能する。
【００３５】
図２は、電子装置１の斜視図であり、第１庇部２３と第１補強部２５とを説明する図である。図２に示す電子装置１は、ケース２、電子基板３、及びカバー４が、４本のボルトＳｃ、Ｓｄ、Ｓｅ、及びＳｆで結合された状態である。
【００３６】
第１庇部２３は、入力用コネクタ３１及び３２が露出する開口部２０の上部（−Ｘ側）を覆い、ケース２の外側（＋Ｙ側）へ突出して形成され、側面２ｂに沿って流れ落ちる水滴を受けるよう形成される。
【００３７】
第１補強部２５は、側面２ｂと固定部２１ａの下方向（＋Ｘ方向）の一端とを接続し、固定部２１ａを補強する。すなわち、固定部２１ａは、側面２ｂにケース２の外側（＋Ｙ側）へ突出し上下方向（−＋Ｘ方向）に略沿って形成されるため、ケース２の前後方向（＋−Ｚ方向）に加わる応力に弱い。したがって、第１補強部２５がケース２の前後方向（＋−Ｚ方向）に延びることで、固定部２１ａに加わる前後方向（＋−Ｚ方向）の応力に対抗する反発力を補強する。
【００３８】
ここで、第１庇部２３と第１補強部２５との関係は次の通りである。すなわち、第１庇部２３と第１補強部２５とは一体に形成される。換言すれば、第１庇部２３は第１補強部２５を兼用する。したがって、第１庇部２３は第１補強部２５として機能し、第１補強部２５は第１庇部２３として機能する。
【００３９】
これにより、第１庇部２３と第１補強部２５とを別々に形成することを回避し、電子装置１の作製コストが上昇するのを防止できる。なお、第２庇部２４と第２補強部２６との構成及び関係も大略同様である。
【００４０】
また、第１補強部２５の機能は次の通りである。すなわち、電子装置１は、第１補強部２５により被固定面に固定されている。このため、例えば電子装置１を備えた車両が物体に衝突すると、ケース２に大きな応力が加わる。固定部２１ａは、ケース２の外側（＋Ｙ側）へ突出して形成されるため、大きな応力が加わるとケース２との接合部分で破損する恐れがある。この場合、電子装置１は、車内に落下して衝撃を受け、制御に異常を来す恐れがある。したがって、固定部２１ａを第１補強部２５で補強することで、固定部２１ａに大きな応力が加わった場合でも破損することを回避し、電子装置１の正常な制御を確保できる。なお、第２補強部２６の機能も同様である。
【００４１】
図３は、電子装置１の側面２ｂを示し、第１庇部２３及び第２庇部２４の前後方向（−＋Ｚ方向）の長さを説明する図である。
【００４２】
第１庇部２３の前後方向（−＋Ｚ方向）の長さは、固定部２１ａ側（＋Ｚ側）からカバー４側（−Ｚ側）へ延び、カバー４に達する長さ（Ｌ１）である。一方、第２庇部２４は、開口部２０の上部（−Ｘ側）を覆い、ケース２の外側（＋Ｙ側）へ突出して形成される。第２庇部２４の前後方向（−＋Ｚ方向）の長さは、固定部２１ａ側（＋Ｚ側）からカバー４側（−Ｚ側）へ延び、カバー４に達することがない長さ（Ｌ２）である。すなわち、第２庇部２４は、第１庇部２３よりも上部（−Ｘ側）に位置し、かつ第１庇部２３よりも短く形成される。
【００４３】
第１庇部２３と第２庇部２４とが、このような位置関係及び長さとすることで、電子装置１の側面２ｂに伝わる水滴を効果的に第１庇部２３と第２庇部２４とで受けることができる。したがって、電子装置１に生じた水滴が電子装置１に浸入するのを効果的に防止できる。なお、第１庇部２３及び第２庇部２４が電子装置１の側面２ｂに伝わる水滴を効果的に受ける機能を以下に説明する。
【００４４】
図４は、電子装置１の側面２ｂを示し、側面２ｂに付着した水滴の伝わる経路を説明する図である。
【００４５】
側面２ｂに付着した水滴は、側面２ｂを伝って落ち、第２庇部２４に達する（経路Ｗ１１）。第２庇部２４に達した水滴は、さらに第２庇部２４に達してきた水滴に押し出され、第２庇部２４とカバー４との間から下方向（＋Ｘ方向）へ落ちる（経路Ｗ１２）。第２庇部２４とカバー４との間から下方向（＋Ｘ方向）へ落ちた水滴は、第１庇部２３に落ち、第１庇部２３の上を固定部２１ａの方向（＋Ｚ方向）へ伝わる（経路Ｗ１３）。第１庇部２３の上を固定部２１ａの方向へ伝わった水滴は、第１庇部２３から落下して電子装置１の外部へ排出される（経路Ｗ１４）。
【００４６】
このような第１庇部２３と第２庇部２４とを備えることにより、水滴は側面２ｂを伝って入力用コネクタ３１及び３２に達することがなく、入力用コネクタ３１及び３２の配線の短絡等を防止し、電子装置１の制御異常を防止する。
【００４７】
また、第１庇部２３より上部に位置する第２庇部２４がまず水滴を受けることで、水滴が流れ落ちる勢いを減殺する。水滴の勢いを減殺した後に第１庇部２３が水滴を受けることで、第１庇部２３は流れ落ちる水滴を容易に受けることができる。すなわち、入力用コネクタ３１及び３２に近い第１庇部２３が流れ落ちる水滴を直ちに受けるのを防止し、水滴の飛び跳ねを回避し、水滴の飛沫が入力用コネクタ３１及び３２に付着するのを防止できる。
【００４８】
また、水滴を第２庇部２４からでなく第１庇部２３から排出することで、なるべく低い位置で水滴を電子装置１から落下させて排出できる。水滴を低い位置で落下させることで、落下後の水滴の飛び跳ねを防止し、コネクタ３１、３２及び３３への水滴の飛沫の付着を防止できる。
【００４９】
図５は、電子装置１の底面２ｄの構成を示し、第１庇部２３が側面２ｂから突出する長さ、及び、第１補強部２５の側面２ｂに対する傾斜形状を説明する図である。
【００５０】
まず、第１庇部２３が側面２ｂから突出する長さを説明する。第１庇部２３の側面２ｂから突出する長さは、固定部２１ａ側（＋Ｚ側）の長さ（Ｌ３）と比較して、入力用コネクタ３１及び３２側（−Ｚ側）の長さ（Ｌ４）の方が小さい（短い）。
【００５１】
このため、ユーザは、第１庇部２３に遮られることなく、入力用コネクタ３１及び３２に接続された接続部材を容易に操作できる。すなわち、ユーザは指で接続部材をつまみ、接続部材をコネクタに容易に抜き差しできる。
【００５２】
一方、第１庇部２３の側面２ｂから突出する長さを入力用コネクタ３１及び３２側の長さ（Ｌ４）より大きく（長く）又は同等とすると、ユーザは第１庇部２３に遮られ、入力用コネクタ３１及び３２に接続された接続部材に指を掛けることができない。この場合、接続部材の抜き差しに支障が生じ得る。したがって、第１庇部２３の側面２ｂから突出する長さを、固定部２１ａ側より入力用コネクタ３１側を小さく（短く）することが好ましい。
【００５３】
次に、第１補強部２５の側面２ｂに対する傾斜形状を説明する。第１補強部２５は、側面２ｂに対して傾斜して形成される。すなわち、第１補強部２５は、側面２ｂに対し、固定部２１ａ側（＋Ｚ側）と比較して入力用コネクタ３１及び３２側（−Ｚ側）の方が小さく（低く）なるよう傾斜する。このため、第１補強部２５は、入力用コネクタ３１及び３２側（−Ｚ側）に接近するほど側面２ｂに対して小さく（低く）形成されても、固定部２１ａ側（＋Ｚ側）では大きく（高く）形成されるので、固定部２１ａを補強する強度を維持できる。
【００５４】
＜１−２．カバーの構成＞
図６は、カバー４の裏面（＋Ｚ側から−Ｚ側を見た面）４ａの構成を示す。カバー４の裏面４ａは、カバー４とケース２とのつなぎ目から電子装置１に浸入した水滴を排水する機能を備える。カバー４の裏面４ａは、外縁部４１、排水壁４２、排水溝４３、及び、排水部４４を備える。
【００５５】
外縁部４１は、裏面４ａの外周の端部である。裏面４ａにおいて数ミリ程度だけ前方向（＋Ｚ方向）へ突出して形成される。
【００５６】
排水壁４２は、外縁部４１よりもやや内側に形成される壁面である。排水壁４２は、外縁部４１と同様に裏面４ａよりも数ミリ程度だけ前方向（＋Ｚ方向）へ突出して形成される。排水壁４２は、裏面４ａの左右中心４Ｃから左右へ斜め下向き（＋Ｘ向き）に延び、排水壁４２のわずかに内側達すると下向き（＋Ｘ向き）に延びて裏面４ａ下端（＋Ｘ方向端部）のわずかに内側に達する。排水壁４２は、裏面４ａ下端のわずかに内側に達すると、裏面４ａの内側方向（＋Ｙ方向又は−Ｙ方向）に延びて形成される。
【００５７】
排水壁４２は、外縁部４１よりもやや内側に壁面として形成されることで、カバー４とケース２とのつなぎ目から電子装置１に浸入した水滴が電子装置１の内部へさらに浸入するのを防止する。特に、排水壁４２は、裏面４ａ上部側（−Ｘ側）の左右中心４Ｃから左右へ斜め下向きに延びることで、電子装置１上部から浸入した水滴を均等に左右に分配し、徐々に外側へ排除できる。
【００５８】
排水溝４３は、外縁部４１と排水壁４２との間で形成される溝状部である。排水溝４３は、ケース２の上面２ａ、側面２ｂ及び側面２ｃと当接している。排水溝４３は、電子装置１の上部やケース２の側面２ｂから浸入した水滴を溝内に流通させて電子装置１外部に排水する。
【００５９】
排水部４４は、裏面４ａのうち外縁部４１が形成されない部分である。排水部４４は、裏面４ａの下側（＋Ｘ側）に形成される。排水溝４３を流通した水滴は排水部４４から外部へ排水される。
【００６０】
次に、電子装置１の上部から浸入した水滴の流通する経路について説明する。なお、水滴は電子装置１の上部から浸入しやすい。電子装置１の上部に発生した水滴は重力により内部方向へ浸透するからである。電子装置１の上部から浸入した水滴は、排水溝４３に沿って左側（＋Ｙ側）又は右側（−Ｙ側）に分配され、徐々に外側へ流通する（経路Ｗ２１）。水滴は、排水溝４３の左右端部に到達すると、排水溝４３に沿って下方向（＋Ｘ方向）へ流通し（経路Ｗ２２）、排水部４４から電子装置１外部へ排水される。なお、水滴は電子装置１（ケース２）の側面２ｂからも浸み込む。側面２ｂから浸み込んだ水滴は、経路Ｗ２２を流通して排水される。
【００６１】
カバー４の裏面４ａのこのような構成により、電子装置１に水滴が浸入した場合であっても、ケース２の内部に備わる電子基板３に配置された入力用コネクタ３１及び３２、出力用コネクタ３３、電子部品、及び電子回路に水滴が付着することがない。これにより、電子部品や配線の間で短絡等を生じず、水滴による電子装置１の異常の発生を防止できる。
【００６２】
以上の通り、本発明の実施の形態に係る電子装置１は、入力用コネクタ３１及び３２が露出する開口部２０の上部を覆い、側面２ｂに沿って流れ落ちる水滴を受ける第１庇部２３と、被固定面にケース２を固定する固定部２１ａを補強する第１補強部２５とが、一体に形成される。
【００６３】
これにより、ケース２に第１庇部２３を形成した場合であっても、第１庇部２３と第１補強部２５とは一体に形成されるので、第１庇部２３と第１補強部２５とを別々に備える必要をなくし、第１庇部２３の金型加工費及び材料費が新たに発生するのを防止できる。したがって、ケース２を作製するコストの上昇を防止できる。また、入力用コネクタ３１及び３２をケース２の側面２ｂに配置しても入力用コネクタ３１及び３２への水滴の浸入を防止できるので、コネクタ配置の自由度を向上できる。
【００６４】
また、本発明の実施の形態に係る電子装置１は、開口部２０の上部を覆い、ケース２の外側へ突出して形成され、側面２ｂに沿って流れ落ちる水滴を受ける第２庇部２４は、第１庇部２３よりも上部に位置し、第１庇部２３よりも短く形成される。
【００６５】
これにより、第１補強部２５と一体に形成される第１庇部２３が、ケース２の側面２ｂに沿って流れ落ちる水滴を容易に受けることができる。したがって、入力用コネクタ３１及び３２に水滴が浸入するのを効果的に防止できる。すなわち、水滴による電子装置１の制御の異常を防止できる。
【００６６】
＜２．変形例＞
以上、本発明の実施の形態を説明した。しかし、本発明は上記実施の形態に限定されることはない。本発明は変形可能である。以下、本発明の変形例を示す。なお、上記及び下記の実施の形態は、適宜組み合わせ可能である。
【００６７】
上記実施の形態において、電子装置１は自動車等の車両に搭載されると説明した。しかし、電子装置１は車両に搭載されなくともよい。水滴が発生し得る場所に設置される電子装置であればよい。
【００６８】
また、上記実施の形態では、電子装置１は電話用アンテナと接続されて外部と通信を行うための装置であると説明した。しかし、電子装置１は外部と通信を行うための装置でなくともよい。電子的な制御を行う装置であればよい。例えば、エアバッグやパワーステアリング、エンジンを電子的に制御する装置でもよい。
【００６９】
また、上記実施の形態では、ケース２及びカバー４はＰＰ（ポリプロピレン）等の樹脂により形成されることが好ましいとした。しかし、ケース２及びカバー４はＰＰにより形成されなくともよい。ケース２及びカバー４は金属製ダイカストでもよい。例えば、ＡＤＣ１２である。アルミダイカストは、被削性、鋳造性、流通性、及び入手の容易性に優れるからである。
【符号の説明】
【００７０】
１    電子装置
２    ケース
３    電子基板
４    カバー
２０    開口部
２３    庇部
２５    補強部
３１    入力用コネクタ
３２    入力用コネクタ
３３    出力用コネクタ
【図１】
0006594717.tif 000002
【図２】
0006594717.tif 000003
【図３】
0006594717.tif 000004
【図４】
0006594717.tif 000005
【図５】
0006594717.tif 000006
【図６】
0006594717.tif 000007